(57)【要約】      （修正有）【課題】予防接種法で定めている予防接種の種類、接種対象年齢、回数、間隔等に基づいて予防接種の計画支援を提供する。また、医療機関と連携し代行予約を行うサービスも提供する。【解決手段】  小児予防接種の計画支援及び代行予約システムは、計画支援処理部５１と、代行予約処理部５２と、利用者情報データベースＤＢ５３と、予防接種情報データベースＤＢ５４と、医療機関情報データベースＤＢ５５と、を有している。計画支援・予約システム５０は、例えば通信網６０を介していくつかの医療機関７０と通信可能である。計画支援処理部５１は、利用者（保護者）がパーソナルコンピュータ１０又は携帯端末などの移動機２０を用いて入力した子供の生年月日、住所などの情報に基づいて、予め用意されている予防接種情報ＤＢ５４と医療機関情報ＤＢ５５とを参照して、予防接種カレンダを作成する。このカレンダは、利用者操作端末２０に表示させることができる。【選択図】  図１
2007018337.tif 000002
【特許請求の範囲】
【請求項１】
利用者を特定する情報を格納する利用者情報データベースと、
予防接種を受ける時期的要件に関する情報を含む予防接種情報を格納する予防接種情報データベースと、
予防接種を受けられる医療機関に関する位置的情報を含む医療機関情報データベースと、
利用者端末からの入力情報に応じて、該入力情報に含まれる子供の生年月日と予防接種情報データベースに格納された予防接種を受ける時期的要件に関する情報とに基づいて予防接種を推奨する時期と予防接種内容とを表示した予防接種カレンダを作成する計画支援処理部と、
利用者端末からの入力情報に応じて、該入力情報に含まれる利用者の位置情報と前記医療機関情報データベースに格納された予防接種を受ける医療機関に関する位置的要件に関する情報とに基づいて予防接種の受診を推奨する医療機関候補と予約ボタンとを提示し予約を促す代行予約処理部と
を有することを特徴とする予防接種計画支援及び代行予約システム。
【発明の詳細な説明】
【技術分野】
【０００１】
本発明は、乳幼児の保護者に対する小児予防接種の計画支援及び医療機関への代行予約に関するサービスを提供するシステムに関するものである。
【背景技術】
【０００２】
コンピュータを利用した健康管理、特に疾病やそれに対する予防接種等の履歴管理を支援する技術としては、下記特許文献１に記載のものが知られている。
【０００３】
下記特許文献１に記載の技術は、個人の疾病履歴及び受けた予防接種の履歴に関する情報を当該登録者個人に関連付けてコンピュータにより管理し、疾病履歴及び予防接種履歴に応じて当該登録者又はその家族等の関係者に対して所定の通知（例えば、過去に疾病履歴がなく、かつ、予防接種の履歴もなければ、疾病に非常にかかりやすい状態と判断し予防接種を促す通知）を送るものである。
【０００４】
【特許文献１】特開２００１−９２８９５号公報
【発明の開示】
【発明が解決しようとする課題】
【０００５】
上記特許文献１に記載の技術は、小児の保護者に対して注意を促し予防接種を勧奨することにより、登録者の日常的な健康管理に大いに貢献できる。しかしながら、具体的な予防接種の日時や受診できる医療機関およびその予約までのサービスを提供するものではない。
【０００６】
特に、小児の基本的な予防接種は、１９９４年の予防接種法の改正により、それまでの義務制度から勧奨制度に変更となり、さらに指定された日時に指定された場所に集まって予防接種を受ける集団接種制度から、個人の体調や都合に合わせて予防接種を受けることができる個別接種へと方針が変わったために、改正前にも増して保護者の予防接種に対する十分な知識とその知識を得るための時間が必要となる。
【０００７】
定期接種であれば、接種時期が近づくと自治体からその旨の通知と予診票が送付されてくるのが一般的である。しかしながら、自治体によっては広報に記載されるだけで、個別通知が送られてこないところもある。したがって、多くの予防接種の中から、どの予防接種をどのような順番で、また、どの医療機関で受ければよいかに関しては、基本的には保護者が母子健康手帳や医学専門書あるいは前記広報等のガイドラインから調べて計画を立てなければならず、労力を費やすことと、場合によっては大事な予防接種の時期を逃してしまうという問題がある。また、医療機関によっては事前の予約が必要な場合もあり手間が掛かる。
【０００８】
本発明の目的は、特に乳幼児の保護者を対象ににして、予防接種法で定めている予防接種の種類、接種対象年齢、回数、間隔等に基づいて予防接種の計画支援を提供することにある。また、医療機関と連携し予防接種の代行予約を行うサービスも提供することである。
【課題を解決するための手段】
【０００９】
本発明の一観点によれば、利用者を特定する情報を格納する利用者情報データベースと、予防接種を受ける時期的要件に関する情報を含む予防接種情報を格納する予防接種情報データベースと、予防接種を受けられる医療機関の位置的要件に関する情報を含む医療機関情報データベースと、利用者端末からの入力情報に応じて、該入力情報に含まれる子供の生年月日と予防接種情報データベースに格納された予防接種を受ける時期的要件に関する情報とに基づいて予防接種を推奨する時期と予防接種内容とを表示した予防接種カレンダを作成する計画支援処理部と、利用者端末からの入力情報に応じて、該入力情報に含まれる利用者の位置情報と前記医療機関情報データベースに格納された予防接種を受ける医療機関に関する位置的要件に関する情報とに基づいて予防接種の受診を推奨する医療機関候補と予約ボタンとを提示し予約を促す代行予約処理部とを有することを特徴とする予防接種計画支援及び代行予約システムが提供される。
【発明の効果】
【００１０】
本発明の小児予防接種の計画支援及び代行予約システムによれば、予防接種法で定めている小児予防接種の種類、接種対象年齢、回数、間隔等に基づいて予防接種の計画支援を利用者に提供する。また、医療機関と連携し代行予約を行うサービスも提供する。
【００１１】
従って、予防接種に関する医療知識に乏しい場合でも、医療情報に即した予防接種を受けさせるための情報を得ることができる。また、合わせて、予防接種の予約を行うこともできる。従って、予防接種の受け忘れなどを防止することができるという利点がある。
【発明を実施するための最良の形態】
【００１２】
以下、本発明の一実施の形態による小児予防接種の計画支援システム及び代行予約システムについて図面を参照して具体的に説明する。
【００１３】
図１は、本実施の形態による小児予防接種の計画支援システム及び代行予約システムの一構成例を示す機能ブロック図である。図１に示すように、小児予防接種の計画支援システム及び代行予約システムシステム５０（以下、「計画支援・予約システム」と称する。）は、計画支援処理部５１と、代行予約処理部５２と、利用者情報データベースＤＢ５３と、予防接種情報データベースＤＢ５４と、医療機関情報データベースＤＢ５５と、を有している。計画支援・予約システム５０は、例えば通信網６０を介していくつかの医療機関７０と通信可能である。
【００１４】
利用者は、パーソナルコンピュータ１０又は携帯端末などの移動機２０（以下、総称して「利用者操作端末」と呼ぶ。）を使用し、インターネット３０やキャリア回線４０を経由し、計画支援・予約システム５０を利用することができるようになっている。
【００１５】
計画支援処理部５１は、利用者（保護者）が入力した子供の生年月日、住所などの情報に基づいて、予め用意されている予防接種情報ＤＢ５４と医療機関情報ＤＢ５５とを参照して、例えば、図２に示す予防接種カレンダを作成する。このカレンダは、利用者操作端末２０に表示させることができる。
【００１６】
図２（ａ）、（ｂ）は、予防接種カレンダ１００の表示例を示す図である。予防接種カレンダ１００に表示された予防接種名はハイパーリンク方式になっており、予防接種名を選択することにより、当該予防接種に関するより詳細な情報を得ることが可能である。詳細な情報の中には、受診可能な医療機関、医療機関へのアクセス方法、予防接種の際の予約の要否および受診前に事前通知するか否か、などの情報が含まれる。図２（ｂ）に関しては、後述する。
【００１７】
図３は、利用者情報ＤＢ５３（図１）に格納される利用者識別情報３００及び予防接種予定情報３０１の例を示す図である。図３（ａ）の利用者識別情報３００には、利用者が利用者操作端末を操作して入力した情報が格納されている。アカウント５３１フィールドおよびパスワード５３２フィールドは、利用者が任意に設定可能なフィールドであるが、アカウント５３１はシステム内でユニークであるものとする。パスワード５３２は、個人情報を秘匿するために設けられている。郵便番号５３３フィールドは、上記予防接種カレンダ１００の詳細情報を作成する際に、利用者の居住地の最寄りの医療機関を検索するために利用される。郵便番号５３３フィールドの入力は任意であるが、居住地の代わりに入力して最寄りの医療機関を検索することができる。住所５３４フィールドおよびメールアドレス５３５フィールドは、予防接種の受診忘れを防止する目的で利用者に事前通知されるように設定する場合に利用される。
【００１８】
例えば、はがき等により、自宅に予防接種予定を事前に通知して欲しい利用者は、住所５３４フィールドに入力することが必須となる。一方、電子メールにより利用者操作端末に通知して欲しい利用者は、メールアドレス５３５フィールドへの入力が必要になる。住所５３４フィールドおよびメールアドレス５３５フィールドの入力も任意である。子供の生年月日５３６フィールドは、予防接種情報ＤＢ５４と組み合わせて予防接種カレンダを作成するために利用する。利用者識別情報３００には、この他に、こどもの氏名、保護者の氏名等の必要な情報が格納されている。
【００１９】
また、図３（ｂ）の予防接種予定情報３０１は利用者識別情報３００毎に関連付けられて保持されており、予防接種カレンダ１００に表示するために必要な当該利用者の予定情報が格納されている。予防接種予定情報３０１は、例えば予防接種区分５３７、予約年月日５３８、予約時間５３９、予約医療機関コード５４０等の情報を保持している（ただし医療機関未予約の場合には、予約時間５３９、予約医療機関コード５４０は空欄となっている）。
【００２０】
図４は、予防接種情報ＤＢ５４に格納される情報３１０の構成例を示す図であり、予防接種に関する時期的要件を格納した例を示す図である。予防接種情報ＤＢ５４には予防接種法で定められている予防接種に関する情報が格納されている。区分５４１フィールドは、予防接種の種類を示すフィールドである。接種対象年齢５４２フィールドは、その予防接種の接種対象年齢を示すフィールドである。回数５４３フィールドは、その予防接種を受診しなければならない、もしくは推奨する回数を示すフィールドである。間隔５４４フィールドは、前回の予防接種と次の予防接種の間で空けなければならない期間又はこれ以上空けてはいけない期間などを示すフィールドである。
【００２１】
図５は、医療機関情報ＤＢ５５に格納される医療機関識別情報３２０（位置的要件）及び医療機関予約情報３２１の構成例を示す図である。図５（ａ）の医療機関識別情報３２０の医療機関コード５５１は、医療機関を識別する任意のコードであり、医療機関毎にユニークとする。受診可能予防接種５５２フィールドは、当該医療機関で受けることが可能な予防接種のリストを示すフィールドである。ここでは、ポリオ、風疹、はしかが挙げられている。予約要否５５３フィールドは、当該医療機関で予防接種を受ける際に予約が必要か否かを示すフィールドである。医療機関識別情報３２０には、この他に医療機関住所、電話番号等の必要な情報が格納されている。また、予約要否５５３フィールドが「要」となっている医療機関については、更に図５（ｂ）に示す医療機関予約情報３２１が複数格納されている。これは利用者予約情報３０１に対応するものである。医療機関予約情報３２１は、例えば予防接種区分５５４、予約年月日５５５、予約時間５５６、予約利用者アカウント５４０等の情報を保持している。
【００２２】
次に、上記システムを利用して、予防接種カレンダを作成し、予防接種に関する予約を行う処理の流れについて説明する。まず、予防接種を受ける小児の保護者が、ＰＣ又は携帯電話機などから、ネットワーク経由で、計画支援・予約システム５０にアクセスし、図３に示す情報を入力する。これにより、小児を特定してその連絡先と生年月日とを、利用者情報ＤＢ５３に登録することができる。利用者登録がなされると、計画支援・予約システム５０の計画支援処理部５１は、上記生年月日と予防接種情報ＤＢ５４と基づいて当該利用者の予防接種推奨日を計算して予防接種予定情報３０１を利用者情報ＤＢ５３に作成し、予防注射の接種推奨日が近づくと、図２（ａ）に示すような予防接種カレンダ１００を上記連絡先に対して送付する。尚、カレンダのテンプレートはユーザ側にあり、データのみを送るようにしても良い。２００５年１月のカレンダには、１月３日に「はしか」１０１の接種が推奨されており、また、１月２４日にポリオの１回目の予防注射の接種が推奨されている。ここで、図２（ａ）の１月３日に「はしか」１０１の領域をマウスでクリックすると、図６に示すように、表示部に近隣の医療機関候補３３１と、その電話番号３３３と、住所（地図が表示されても良い）３３５とが一覧表示される。さらに、医療機関ＡＢの予約ボタン３３７を押すと、ユーザに関する情報が医療機関ＡＢに送られ、予防接種の予約が可能である。この際、図５に示すように、医療機関コード５５１と、受診可能予防接種５５２と、予約可否５５３と、に関する情報が表示されるようにしても良い。これにより、代行予約が実行される。或いは、予約の可否が知りたい場合などは、医療機関コードをユーザが入力すると、図５のような表示がされるようになっていても良い。代行予約が実行されると、予防接種予定情報３０１の予約時間５３９、予約医療機関コード５４０に予約情報が格納され、また医療機関情報ＤＢ５５には、対応する医療機関予約情報３２１が作成される。
【００２３】
次に、ポリオなどのように、ある期間をおいて複数回の予防接種を行う必要がある場合について、図２（ａ）、（ｂ）と図４とを参照して説明を行う。図２（ａ）に示すように、ユーザが１月２４日にポリオの予防接種に関する推奨を受けた場合に、実際にその日にユーザの子供がポリオの予防接種を受けた場合には、図４に基づき、ポリオの予防接種は２回を６週以上空けて受けるのが好ましいことから、２００５年３月２４日頃に予防接種を受けるのを忘れないように、３月２４日が近づくと図２（ｂ）に示す３月のカレンダ１２０がユーザに提示される。ここには、ポリオ２回目の予告が表示されている。従って、１回目にポリオの予防接種を子供に受けさせたユーザは、２回目の接種を忘れないで受けさせることが可能である。
【００２４】
もし、１回目のポリオの接種がＡＲ１に示すように、１月２８日になった場合には、ユーザがマウスなどで２４日から２８日にドラッグすると、この情報がシステムに伝達され、２回目に接種の推奨日が３月２９日に移ったカレンダ１２０がユーザに提示される。このように、実際の接種日の変更に合わせて２回目の接種日の提示日も自動的に変更されるため、６週以上空けるという条件を維持することを忘れることがない。
【００２５】
以上に説明したように、本実施の形態による小児予防接種の計画支援及び代行予約システムによれば、予防接種法で定めている小児予防接種の種類、接種対象年齢、回数、間隔等に基づいて予防接種の計画支援が利用者に提供されるため、詳しい情報を知らないユーザであっても、予防接種に関するカレンダに基づいて正常な予防接種を子供に受けさせることができる。その際に、医療機関と連携し代行予約を行うこともできるため、極めて便利である。
【産業上の利用可能性】
【００２６】
本発明は、予防接種に関する支援システムとして利用可能である。
【図面の簡単な説明】
【００２７】
【図１】本発明の一実施の形態による小児予防接種の計画支援システム及び代行予約システムの概略構成例を示すブロック図である。
【図２】図２（ａ）、（ｂ）は、本実施の形態によるシステムにより作成される予防接種カレンダのイメージ図である。
【図３】利用者情報ＤＢ５３に格納されるデータの一構成例を示す図である。
【図４】予防接種情報ＤＢ５４に格納されるデータの一構成例を示す図である。
【図５】医療機関情報ＤＢ５５に格納されるデータの一構成例を示す図である。
【図６】予防接種予約画面の表示例を示す図である。
【符号の説明】
【００２８】
１０…パーソナルコンピュータ、２０…移動機（携帯端末等）、３０…インターネット、４０…キャリア網、５０…小児予防接種の計画支援及び代行予約システム、６０…通信網、７０…医療機関、５１…計画支援処理部、５２…代行予約処理部、５３…利用者情報データベース、５４…予防接種情報データベース、５５…医療機関情報データベース。
【図１】
2007018337.tif 000003
【図２】
2007018337.tif 000004
【図３】
2007018337.tif 000005
【図４】
2007018337.tif 000006
【図５】
2007018337.tif 000007
【図６】
2007018337.tif 000008